【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
大当りか否かの大当り抽選の抽選確率を高確率状態とする確変状態、及び始動手段の入球口が開放状態と閉鎖状態を取り得るように動作する開閉部材の単位時間あたりの開放時間を増加させる開放時間増加状態のうち少なくともいずれか一方の遊技状態を、大当り抽選に当選した際に決定された大当りの種類に応じて、大当り遊技終了後に付与する遊技機において、
遊技機全体を制御する主制御手段と、
前記主制御手段の指示内容に従って、図柄変動ゲームの実行にかかる制御を行う副制御手段と、を備え、
前記主制御手段は、前記大当り抽選の抽選結果に従って、図柄変動ゲームの変動時間を定めた変動パターンを選択する変動パターン選択手段を有し、
前記副制御手段は、前記変動パターン選択手段が選択した変動パターンに従って図柄変動ゲームを表示手段に実行させる演出制御手段と、予め定めた移行条件の成立時に、該移行条件成立時の遊技状態及び直近の大当りの種類に応じて、前記大当り抽選の抽選確率を示す演出モードを移行させるための制御を行うモード制御手段と、を有し、
前記変動パターン選択手段は、前記遊技状態毎に設定された変動内容群のうち現在の遊技状態に対応する変動内容群から変動パターンを選択し、選択した変動パターンを前記副制御手段に指示するようになっており、
前記変動内容群として、
前記開閉部材の単位時間あたりの開放時間が前記開放時間増加状態よりも短い開放時間非増加状態が付与されており、かつ前記大当り抽選の抽選確率が低確率状態である第１遊技状態で大当り抽選に当選し、大当り遊技終了後に確変状態を付与する特定確変大当りが決定されたときに、大当り遊技終了後の変動パターンを選択する際に使用される高確率状態用の第１変動内容群と、前記第１遊技状態ではない遊技状態で大当り抽選に当選し、前記特定確変大当りが決定されたときに、大当り遊技終了後の変動パターンを選択する際に使用されるとともに前記第１変動内容群とは異なる高確率状態用の第２変動内容群と、を含み、
前記副制御手段は、
前記特定確変大当りが決定された場合、図柄変動ゲームに関しては、前記主制御手段から指示された変動パターンに従った図柄変動ゲームを前記表示手段に実行させる一方で、前記演出モードに関しては、前記大当り抽選に当選したときの遊技状態にかかわらず、大当り遊技終了後に同一の演出モードに移行させ得ることを特徴とする遊技機。
【請求項２】
前記高確率状態用の第１変動内容群及び前記高確率状態用の第２変動内容群では、設定されている変動パターンの種類、又は変動パターンの選択割合を異ならせたことを特徴とする請求項１に記載の遊技機。
【請求項３】
大当りの種類として大当り遊技終了後に確変状態を付与しない非確変大当りが決定された際に前記開放時間増加状態が付与される図柄変動ゲーム数は、前記第１遊技状態で前記特定確変大当りが決定された際に付与されるゲーム数以下に設定されていることを特徴とする請求項１又は請求項２に記載の遊技機。
【請求項４】
前記主制御手段は、前記大当り抽選に当選しなかった場合には、リーチ演出を行うか否かのリーチ抽選を実行するようになっており、
大当り抽選の抽選確率が低確率状態である場合におけるリーチ抽選の当選確率は、大当り抽選の抽選確率が高確率状態である場合におけるリーチ抽選の当選確率よりも高く設定されていることを特徴とする請求項１〜請求項３のうちいずれか一項に記載の遊技機。
【手続補正２】
【補正対象書類名】明細書
【補正対象項目名】０００６
【補正方法】変更
【補正の内容】
【０００６】
上記問題点を解決するために、請求項１に記載の発明は、大当りか否かの大当り抽選の抽選確率を高確率状態とする確変状態、及び始動手段の入球口が開放状態と閉鎖状態を取り得るように動作する開閉部材の単位時間あたりの開放時間を増加させる開放時間増加状態のうち少なくともいずれか一方の遊技状態を、大当り抽選に当選した際に決定された大当りの種類に応じて、大当り遊技終了後に付与する遊技機において、遊技機全体を制御する主制御手段と、前記主制御手段の指示内容に従って、図柄変動ゲームの実行にかかる制御を行う副制御手段と、を備え、前記主制御手段は、前記大当り抽選の抽選結果に従って、図柄変動ゲームの変動時間を定めた変動パターンを選択する変動パターン選択手段を有し、前記副制御手段は、前記変動パターン選択手段が選択した変動パターンに従って図柄変動ゲームを表示手段に実行させる演出制御手段と、予め定めた移行条件の成立時に、該移行条件成立時の遊技状態及び直近の大当りの種類に応じて、前記大当り抽選の抽選確率を示す演出モードを移行させるための制御を行うモード制御手段と、を有し、前記変動パターン選択手段は、前記遊技状態毎に設定された変動内容群のうち現在の遊技状態に対応する変動内容群から変動パターンを選択し、選択した変動パターンを前記副制御手段に指示するようになっており、前記変動内容群として、前記開閉部材の単位時間あたりの開放時間が前記開放時間増加状態よりも短い開放時間非増加状態が付与されており、かつ前記大当り抽選の抽選確率が低確率状態である第１遊技状態で大当り抽選に当選し、大当り遊技終了後に確変状態を付与する特定確変大当りが決定されたときに、大当り遊技終了後の変動パターンを選択する際に使用される高確率状態用の第１変動内容群と、前記第１遊技状態ではない遊技状態で大当り抽選に当選し、前記特定確変大当りが決定されたときに、大当り遊技終了後の変動パターンを選択する際に使用されるとともに前記第１変動内容群とは異なる高確率状態用の第２変動内容群と、を含み、前記副制御手段は、前記特定確変大当りが決定された場合、図柄変動ゲームに関しては、前記主制御手段から指示された変動パターンに従った図柄変動ゲームを前記表示手段に実行させる一方で、前記演出モードに関しては、前記大当り抽選に当選したときの遊技状態にかかわらず、大当り遊技終了後に同一の演出モードに移行させ得ることを要旨とする。
【手続補正３】
【補正対象書類名】明細書
【補正対象項目名】０００７
【補正方法】変更
【補正の内容】
【０００７】
請求項２に記載の発明は、請求項１に記載の遊技機において、前記高確率状態用の第１変動内容群及び前記高確率状態用の第２変動内容群では、設定されている変動パターンの種類、又は変動パターンの選択割合を異ならせたことを要旨とする。
【手続補正４】
【補正対象書類名】明細書
【補正対象項目名】０００８
【補正方法】変更
【補正の内容】
【０００８】
請求項３に記載の発明は、請求項１又は請求項２に記載の遊技機において、大当りの種類として大当り遊技終了後に確変状態を付与しない非確変大当りが決定された際に前記開放時間増加状態が付与される図柄変動ゲーム数は、前記第１遊技状態で前記特定確変大当りが決定された際に付与されるゲーム数以下に設定されていることを要旨とする。
【手続補正５】
【補正対象書類名】明細書
【補正対象項目名】０００９
【補正方法】変更
【補正の内容】
【０００９】
請求項４に記載の発明は、請求項１〜請求項３のうちいずれか一項に記載の遊技機において、前記主制御手段は、前記大当り抽選に当選しなかった場合には、リーチ演出を行うか否かのリーチ抽選を実行するようになっており、大当り抽選の抽選確率が低確率状態である場合におけるリーチ抽選の当選確率は、大当り抽選の抽選確率が高確率状態である場合におけるリーチ抽選の当選確率よりも高く設定されていることを要旨とする。